(57)【要約】  簡素な構成を用いて調整を行えるにも関わらず、高画質な画像を得ることができる撮像装置の調整方法及び撮像装置を開示する。枠状体２４に光軸直交方向に力を与えて変位させると、第１のバネ２５により内筒２２の上端が同じ方向に変位する。このとき、内筒２２の下端は、第２のバネ２６により変位が抑制されるので、その結果、内筒２２は傾頭することとなる。従って四隅のチャートパターンＰＴの像が一様に鮮明になるように枠状体２４をＸＹ方向に変位させることで、撮像レンズＯＵの光軸Ｘ１の傾きを調整できる。
2012005141.tif 000002
【特許請求の範囲】
【請求項１】
撮像レンズと、前記撮像レンズを支持する内筒と、前記内筒の周囲に配置された外筒と、前記外筒の端部と前記内筒とを連結する第１のバネ手段と、前記第１のバネ手段に対して前記撮像レンズの光軸方向に離れて、前記外筒と前記内筒とを連結する第２のバネと、前記外筒に対して前記内筒を前記光軸方向に駆動するアクチュエータと、基板に実装された固体撮像素子とを有する撮像装置の調整方法であって、
前記固体撮像素子に対して、所定のパターンを有するチャートを正対させ、
前記チャートを撮像したときに前記固体撮像素子から出力される画像情報に基づいて、前記第１のバネ手段を前記外筒に対して前記光軸に交差する方向に変位させて、前記撮像レンズの光軸のチルトを調整した後、固定することを特徴とする撮像装置の調整方法。
【請求項２】
前記第１のバネ手段は、第１のバネと、前記第１のバネに連結されてなり前記外筒に固定される枠状体と、を有し、前記枠状体と前記外筒との間に前記クリアランスが形成されていることを特徴とする請求項１に記載の撮像装置の調整方法。
【請求項３】
前記チャートは、少なくとも四隅に前記所定のパターンを有することを特徴とする請求項１又は２に記載の撮像装置の調整方法。
【請求項４】
前記画像情報は、前記チャートを撮像することによって得られる解像評価値であることを特徴とする請求項１乃至３のいずれか１項に記載の撮像装置の調整方法。
【請求項５】
請求項１乃至４のいずれか１項に記載の撮像装置の調整方法により調整されたことを特徴とする撮像装置。
【請求項６】
前記第１のバネ手段と前記外筒との間には、両者が固定される前において、前記光軸に交差する方向において所定範囲でシフト可能なクリアランスが設けられていることを特徴とする請求項５に記載の撮像装置。
【請求項７】
前記第１のバネ手段の外形は、前記外筒の外形よりも小さいことを特徴とする請求項５又は６に記載の撮像装置。
【請求項８】
前記第１のバネ手段と前記外筒とが固定される前において、少なくとも光軸方向における両者の分離を禁止する分離禁止手段が設けられていることを特徴とする請求項５乃至７のいずれか１項に記載の撮像装置。
【発明の詳細な説明】
【技術分野】
【０００１】
本発明は、撮像装置の調整方法及び撮像装置に関し、特に小型で大量生産に好適な像装置の調整方法及び撮像装置に関する。
【背景技術】
【０００２】
小型でかつ薄型の撮像装置が、携帯電話機やＰＤＡ（Ｐｅｒｓｏｎａｌ Ｄｉｇｉｔａｌ Ａｓｓｉｓｔａｎｔ）等の携帯端末に用いられている。これらの撮像装置に使用される撮像素子としては、ＣＣＤ型イメージセンサやＣＭＯＳ型イメージセンサ等の固体撮像素子が知られている。このような撮像装置は、近年では撮像素子の高画素化が進んでおり、高解像、高性能化が図られてきている。【０００３】
ところで、近年における小型・高画素の固体撮像素子においては、以下のような問題が顕在化した。即ち、撮像素子の高画素化によって被写界深度はより狭くなるため、レンズにはより高いチルト精度が求められる。ところが、近年の小型の固体撮像素子においては、画素の狭ピッチ化が促進されており、それによる弊害が問題となってきた。例えば画素ピッチ1.75μｍの固体撮像素子において、30'の光軸チルトが許容されるレンズがあった場合、これを画素ピッチ1.1μｍの固体撮像素子に適用するためには、その比率でチルト精度を高くする必要があるため、許容チルトは19'となり、それを実現するためには部品精度や組み付け精度を高めなくてはならず、コスト高を招くこととなった。また、画素の狭ピッチ化とともに、Ｆ値については小さくなる傾向にあり、それにより被写界深度は一層狭くなり、これが光軸チルトの要求精度を一層高める要因となっている。【０００４】
そこで、光軸チルトを精度良く調整するために、例えば特許文献１、２に開示されているように、撮像素子とのあおりを調整する手法が開発されている。ここで、特許文献１の技術によれば、結合前の光学ブロックおよび撮像ブロックの相対位置を変更可能に保持し、光学ブロックを撮像ブロックに対して所定の位置に配置する移動機構及び回転テーブルと、光学系を通じて固体撮像素子へ所定の測定用光を照射する光源部と、光学系を通じて測定用光が照射された固体撮像素子から得られる画像情報に基づいて、結合前の光学系の固体撮像素子に対する配置が所定条件を満たす配置に調整するように制御することで、撮像レンズのチルト調整を行っている。【０００５】
一方、特許文献２によれば、レンズ保持機構、素子移動機構にレンズユニット、素子ユニットをそれぞれ保持させ、第２スライドステージで素子ユニットをＺ軸方向に移動させながら、撮影レンズが結像したチャート像を撮像素子で撮像し、撮像面上に設定された少なくとも５つの撮像位置の合焦座標値を取得して、撮像位置毎に得られた合焦座標値を３次元座標系に展開することにより得られる複数の評価点の相対位置から近似結像面を算出し、この近似結像面に撮像面が一致するように、第２スライドステージ及び２軸回転ステージで素子ユニットの位置及び傾きを調整している。
【先行技術文献】
【特許文献】
【０００６】
【特許文献１】特開２００５−１９８１０３号公報
【特許文献２】特開２０１０−２１９８５号公報
【発明の開示】
【発明が解決しようとする課題】
【０００７】
しかるに、特許文献１，２においては、チルト調整のためにＸＹステージや回転テーブル等が必要になり、調整のための装置が大型化・複雑化し、コストがかかるという問題がある。又、特許文献２の撮像装置は、撮像レンズを駆動するアクチュエータを有するため、チャート像を撮像するためには、このアクチュエータに給電を行わなくてはならないが、そのため電磁石の接点に押し付けて給電を行うためのプローブが必要になり、構成をより複雑にしている。又、従来の調整方式では、調整量によって完成品のモジュール高さや、上下面の傾きが個体ごとに変化するため問題であった。【０００８】
本発明は、かかる従来技術の問題点に鑑みてなされたものであり、簡素な構成を用いて調整を行えるにも関わらず、高画質な画像を得ることができる撮像装置の調整方法及び撮像装置を提供することを目的とする。
【課題を解決するための手段】
【０００９】
請求項１に記載の撮像装置の調整方法は、撮像レンズと、前記撮像レンズを支持する内筒と、前記内筒の周囲に配置された外筒と、前記外筒の端部と前記内筒とを連結する第１のバネ手段と、前記第１のバネ手段に対して前記撮像レンズの光軸方向に離れて、前記外筒と前記内筒とを連結する第２のバネと、前記外筒に対して前記内筒を前記光軸方向に駆動するアクチュエータと、基板に実装された固体撮像素子とを有する撮像装置の調整方法であって、
前記固体撮像素子に対して、所定のパターンを有するチャートを正対させ、
前記チャートを撮像したときに前記固体撮像素子から出力される画像情報に基づいて、前記第１のバネ手段を前記外筒に対して前記光軸に交差する方向に変位させて、前記撮像レンズの光軸のチルトを調整した後、固定することを特徴とする。【００１０】
本発明によれば、基板に前記固体撮像素子が実装された状態で、且つ実際の配線を介して前記アクチュエータに給電することで前記撮像レンズを合焦位置へと駆動して、前記チャートを撮像するので、別個に複雑なステージや治具等を準備する必要がなく、実際の製品に近い状態でチルト調整を行うことが出来るから、調整時と実使用時との条件差を減少させることができる。又、前記外筒に対して前記第１のバネ手段を相対変位させて、前記第１のバネ手段を介して連結された前記内筒が変位することを利用して、前記内筒に取り付けられた前記撮像レンズの光軸のチルトを調整した後に固定するので、ＸＹステージや回転テーブルなど嵩張って複雑な調整装置を用いることなく容易に前記撮像レンズのチルト調整を行うことができる。このようにして調整された撮像装置により、高画質な画像を得ることができる。又、本発明によれば、調整後に撮像装置の外形の変形を抑えることができるので、他部品に組み付ける際に都合がよい。尚、調整時において、第２のバネは、２つのバネで宙吊り状態になった内筒において、第１のバネ手段を変位させた際に、それに抗するように取り付けた側の光軸直交方向移動を抑えつつ、内筒が自由に傾けるように保持すると好ましい。【００１１】
請求項２に記載の撮像装置の調整方法は、請求項１に記載の調整方法において、前記第１のバネ手段は、第１のバネと、前記第１のバネに連結されてなり前記外筒に固定される枠状体とを有し、前記枠状体と前記外筒との間に前記クリアランスが形成されていることを特徴とする。但し、第１のバネにより前記外筒と前記内筒とを直接連結していても良い。【００１２】
請求項３に記載の撮像装置の調整方法は、請求項１又は２に記載の調整方法において、前記チャートは、少なくとも四隅に前記所定のパターンを有することを特徴とする。かかるチャートを撮像することで、得られた画像情報により前記撮像レンズのチルトを検出することができる。【００１３】
請求項４に記載の撮像装置の調整方法は、請求項１乃至３のいずれか１項に記載の調整方法において、前記画像情報は、前記チャートを撮像することによって得られる解像評価値であることを特徴とする。解像評価値については、例えば特開2008-281481号公報に記載されている。【００１４】
請求項５に記載の撮像装置は、請求項１乃至４のいずれか１項に記載の撮像装置の調整方法により調整されたことを特徴とする。【００１５】
請求項６に記載の撮像装置は、前記第１のバネ手段と前記外筒との間には、両者が固定される前において、前記光軸に交差する方向において所定範囲でシフト可能なクリアランスが設けられていることを特徴とする。前記所定範囲内で、前記外筒に対して前記第１のバネ手段を相対変位させることにより、前記内筒に取り付けた前記撮像レンズの光軸のチルトを調整することができる。【００１６】
請求項７に記載の撮像装置は、請求項５又は６の撮像装置において、前記第１のバネ手段の外形は、前記外筒の外形よりも小さいことを特徴とする。これにより、チルト調整後に、前記第１のバネ手段が前記外筒の外径から外方にはみ出す恐れが少なく、他部品との組付けの邪魔になることが抑制される。【００１７】
請求項８に記載の撮像装置は、請求項５乃至７のいずれか１項に記載の撮像装置において、前記第１のバネ手段と前記外筒とが固定される前において、少なくとも光軸方向における両者の分離を禁止する分離禁止手段が設けられていることを特徴とする。これにより前記第１のバネ手段を前記外筒に固定する前に、不用意に落下することを抑制できる。
【発明の効果】
【００１８】
本発明によれば、簡素な構成を用いて調整を行えるにも関わらず、高画質な画像を得ることができる撮像装置の調整方法及び撮像装置を提供することができる。
【図面の簡単な説明】
【００１９】
【図１】本実施形態にかかる撮像装置５０の断面図である。
【図２】本実施形態にかかる撮像装置５０の断面図である。
【図３】図１の構成をIII-III線で切断して矢印方向に見た図である。
【図４】第１のバネ２５の斜視図である。
【図５】チャートＣＨＴの正面図である。
【図６】撮像装置の調整工程前（ａ）及び調整工程（ｂ）を説明するための図である。
【図７】変形例にかかる撮像装置５０’の断面図である。
【図８】撮像装置５０をデジタル機器である携帯端末としての携帯電話機１００に装備した状態を示す正面図（ａ）及び背面図（ｂ）である。
【図９】携帯電話機１００の制御ブロック図である。
【発明を実施するための形態】
【００２０】
以下、本発明の実施形態を、図面を参照して説明する。図１、２は、本実施形態にかかる撮像装置５０を異なる位置で切断した断面図である。図３は、図１の構成をIII-III線で切断して矢印方向に見た図である。尚、図３のI-I線で切断して矢印方向に見た断面図が図１になり、図３のII-II線で切断して矢印方向に見た断面図が図２になる。
【００２１】
図１、２に示すように、撮像装置５０は、光電変換部５１ａを有する固体撮像素子としてのＣＭＯＳ型イメージセンサ５１と、このイメージセンサ５１の光電変換部（受光面）５１ａに被写体像を撮像させる撮像レンズＯＵと、撮像レンズＯＵを保持するホルダ２１と、ホルダ２１を支持する内筒２２と、内筒２２の周囲に設けられた上枠２３と、上枠２３の上端に固定された枠状体２４と、内筒２２の上端と枠状体２４とを連結する第１のバネ２５と、内筒２２の下端と上枠２３の下部とを連結する第２のバネ２６と、上枠２３に対して内筒２２を駆動するアクチュエータ３０と、上枠２３を支持する下枠２７と、イメージセンサ５１を保持すると共にその電気信号の送受を行う外部接続用端子（不図示）を有する基板５２とを備え、これらは一体的に組み立てられている。
【００２２】
上記イメージセンサ５１は、その受光側の平面の中央部に、画素（光電変換素子）が２次元的に配置された、受光部としての光電変換部５１ａが形成されており、信号処理回路（不図示）に接続されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、イメージセンサ５１の受光側の平面の外縁近傍には、多数のパッド（図示略）が配置されており、ワイヤ（不図示）を介して基板５２に接続されている。イメージセンサ５１は、光電変換部５１ａからの信号電荷をデジタルＹＵＶ信号等の画像信号等に変換し、ワイヤ（不図示）を介して基板５２上の所定の回路ＣＫＴ（図３）に出力する。ここで、Ｙは輝度信号、Ｕ（＝Ｒ−Ｙ）は赤と輝度信号との色差信号、Ｖ（＝Ｂ−Ｙ）は青と輝度信号との色差信号である。なお、固体撮像素子は上記ＣＭＯＳ型のイメージセンサに限定されるものではなく、ＣＣＤ等の他のものを使用しても良い。
【００２３】
基板５２は、外部接続用端子（不図示）を介して外部回路（例えば、撮像装置を実装した携帯端末の上位装置が有する制御回路）と接続し、外部回路からイメージセンサ５１を駆動するための電圧やクロック信号の供給を受けたり、また、デジタルＹＵＶ信号を外部回路へ出力したりすることを可能とする。
【００２４】
ホルダ２１は、物体側（図１で上側）に光軸直交方向内方に延在するフランジ部２１ａを有し、その中央に形成された円形開口が絞りＳとなっている。撮像レンズＯＵは、物体側からレンズＬ１，レンズＬ２，レンズＬ３をこの順序で積層接着してなり、レンズＬ１の周囲をフランジ部２１ａに当接するようにして、ホルダ２１の内周に固着されているため、撮像レンズＯＵとホルダ２１との同軸性は高くなっている。又、ホルダ２１は、外周に雄ねじ部２１ｂを有している。
【００２５】
円筒状の内筒２２は、内周に雌ねじ部２２ａを有し、雄ねじ部２１ｂを雌ねじ部２２ａに螺合させることによって、ホルダ２１が内筒２２に対して光軸方向に変位可能に取り付けられている。内筒２２は、その下部外周に、光軸直交方向外方に延在するフランジ部２２ｂを有している。尚、内筒２２の上端は、雌ねじ部２２ａの軸線に対して精度良く直交しているものとする。
【００２６】
環状のボイスコイルモータであるアクチュエータ３０は、内筒２２のフランジ部２２ｂに端部が取り付けられ同軸に延在する筒状のコイル３１と、コイル３１の外方を包囲するようにして、上枠２３の内周に取り付けられた磁石３２と、磁石３２の外周面側から、磁石３２及びコイル３１の上方側を通過して、コイル３１の内周側に至るヨーク３３とを有する。ボイスコイルモータの駆動原理は良く知られているので省略するが、アクチュエータドライバＡＤより、配線Ｈ１，Ｈ２、第２のばね２６を介してコイル３１に電力を供給することで発生する磁力により、磁石３２に対してコイル３１を内筒２２と共に、供給された電力に応じて図１で上下方向に変位させることができるものであり、これにより撮像レンズＯＵの光軸方向移動が可能となる。
【００２７】
角筒状の上枠２３は、その上端の内周側を全周にわたって抉っており、内周段部２３ａを形成している。一方、矩形状の枠状体２４は、筒部２４ａとフランジ部２４ｂとからなり、フランジ部２４ｂに第１のバネ２５の外周側を接着している。枠状体２４と第１のバネ２５により、第１のバネ手段を構成する。筒部２４ａは、その下端の外周側を全周にわたって抉っており、外周段部２４ｃを形成している。外周段部２４ｃの光軸直交方向外方に内周段部２３ａが位置するようにして、上枠２３に対して枠状体２４が組み付けられている。尚、外周段部２４ｃと筒部２４ａとの間には、面取り部２４ｄを形成している。
【００２８】
ここで、図１に示すように、上枠２３の外寸Ａと、枠状体２４の外寸Ｂとの間には、Ａ＞Ｂなる関係がある。又、内周段部２３ａの内寸Ｃと、外周段部２４ｃの外寸Ｄとの間には、Ｃ＞Ｄなる関係がある。以上の寸法関係は、直交する断面においても同様である。従って、内周段部２３ａと外周段部２４ｃとの間には、寸法差に応じたクリアランスＣＬがあり、固定前においては、このクリアランスＣＬの範囲内で、上枠２３に対して枠状体２４が光軸直交方向に変位可能となっている。一例として、第１のバネ２５と第２のバネ２６間の距離が3mmのアクチュエータにおいて、±30’のチルトを補正するのに必要な調芯量は±26μｍとなる（3*tan30'）。この約1.5倍の調整代を確保するため、クリアランスＣＬとしては±40μｍ以上確保することが望ましい。
【００２９】
更に、上枠２３の下部内周には、光軸直交方向内方に延在するフランジ部２３ｂが形成されており、その下面の一部が矩形状に突出して上枠基準面（基準平面）２３ｃを形成している。第２のバネ２６の外周側は、フランジ部２３ｂの上面に接着され、第２のバネ２６の内周側は、内筒２２の下端にねじ止め又は接着されている。
【００３０】
一方、略環状の下枠２７は、その上面の一部が環状に突出して下枠基準面２７ａを形成し、また上部外周に段部２７ｂを有している。上枠基準面２３ｃが下枠基準面２７ａに当接し、また上枠２３の下端内周２３ｄが段部２７ｂに嵌合するようにして、上枠２３と下枠２７とが結合されて接着され、外筒を構成している。ここで、上枠２３の下端面と下枠２７との間には隙間Δがあるが、その隙間Δは全周にわたってバラツキがなく一様であり、この隙間Δに接着剤を塗布した際の強度バラツキを抑え、また異物などの侵入を阻止することができる。下枠２７の下部から突出した環状の脚部２７ｃが、イメージセンサ５１の周囲の基板５２の上面に当接し接着されている。下枠２７の中央には、ＩＲカットフィルタＦＩが取り付けられている。尚、本実施形態では、上枠２３より物体側を光学ブロックＯＢといい、下枠２７より像側を撮像ブロックＣＢと定義する（図２参照）。
【００３１】
図３の断面において、下枠２７を光軸方向に見たときに、全面にわたって基板５２の面に当接した脚部２７ｃの外周の一部が、内側にへこんで凹部２７ｅを形成している。凹部２７ｅ内の基板５２上（即ち下枠２７の外側）には、金属製の端子Ｔ１，Ｔ２が形成されている。端子Ｔ１，Ｔ２は、下枠２７内であって基板５２上に実装されたアクチュエータドライバＡＤに接続されている。又、図２に示すように、端子Ｔ１，Ｔ２は、それぞれ配線Ｈ１，Ｈ２に接続され、第２のバネ２６を介してアクチュエータ３０に接続されている。
【００３２】
図４は、第１のバネ２５の斜視図である。第１のバネ２５は、薄い板材からなり、枠状体２４に接着される外側環状部２５ａと、内筒２２に接着される内側環状部２５ｂと、外側環状部２５ａと内側環状部２５ｂとを、径方向に重ならない位置で連結する円弧状の３つのバネ部２５ｃとを有する。このような形状を有する第１のバネ２５は、小面積で軸線方向のバネ定数を下げることができる。尚、第２のバネ２６も同様の形状を有するが、２部品から構成されている。
【００３３】
次に、組立工程の最終段階で行う撮像装置の調整方法について述べる。図５は、本実施形態で用いるチャートＣＨＴの一例である。チャートＣＨＴは矩形状であり、チャートパターンが設けられたチャート面には、中心と、四隅近傍の左上、左下、右上、右下とに第１〜第５チャートパターンＰＴがそれぞれ印刷されている。所定のパターンとしての第１〜第５チャートパターンＰＴは、全て同一の画像であって、黒色の線を所定間隔で配列させた、いわゆるラダー状のチャートパターンであり、それぞれ水平方向に配列させた水平チャート画像ＰＴ１と、垂直方向に配列させた垂直チャート画像ＰＴ２から構成されている。
【００３４】
図６（ａ）は撮像装置の調整工程前、（ｂ）は調整工程をそれぞれ説明するための図である。まず、図６（ａ）に示すように、上枠２３に枠状体２４を固定することを除き、調整対象とする撮像装置５０を組み付ける（配線を含む）。かかる状態では、枠状体２４は、上枠２３の上端に嵌合しているが固定されておらず、クリアランスＣＬ（図１，図２）の範囲内で光軸直交方向に変位可能となっているから、枠状体２４を上枠２３に対して治具（不図示）で仮固定する。この状態で、イメージセンサ５１の受光面５１ａがチャートＣＨＴに正対するように（平行となるように）撮像装置５０を配置する。
【００３５】
続いて、イメージセンサ５１からの画像信号（画像情報）に基づき像面ＡＦ（オートフォーカス）を行う。より具体的には、イメージセンサ５１からの画像信号に基づいて、中央のパターンＰＴが最も鮮明に撮像されるようにアクチュエータドライバＡＤによりアクチュエータ３０を駆動制御する。アクチュエータドライバＡＤから供給された電流は、端子Ｔ１，配線Ｈ１、第２のバネ２６の一方を介して、コイル３１に流れ、その後第２のバネ２６の他方、配線Ｈ２，端子Ｔ２を介してアクチュエータドライバＡＤに戻り、これにより閉回路が形成され、撮像レンズＯＵをホルダ２１及び内筒２２毎、合焦位置に移動させるようになっている。
【００３６】
中央のパターンＰＴにピントがあった状態で、上下左右のチャートパターンＰＴの被写体像が撮像レンズＯＵを介して、イメージセンサ５１の受光面５１ａ上に結像することにより、連続的に光電変換された画像信号（画像情報）が出力される。このとき、図６（ａ）に示すように、撮像レンズＯＵの光軸Ｘ１が、イメージセンサ５１の直交線Ｘ２に対して傾いていた場合、画像信号を画像処理（エッジ検出）して解像評価値を求めると、左右いずれかのチャートパターンＰＴの像が片ぼけしていることがわかる。
【００３７】
かかる場合、図６（ｂ）に矢印で示すごとく、枠状体２４に光軸直交方向に力を与えて変位させると、第１のバネ２５により内筒２２の上端が同じ方向に変位する。このとき、内筒２２の下端は、第２のバネ２６により変位が抑制されるので、その結果、内筒２２は傾頭することとなる。従って四隅のチャートパターンＰＴの像が一様に鮮明になるように枠状体２４をＸＹ方向に変位させることで、撮像レンズＯＵの光軸Ｘ１の傾きを調整できる。かかる状態では、上枠２３の半径方向外方に枠状体２４ははみ出すことがないので、外形形状が安定する。更に、面取り部２４ｄに接着剤を付与することで、枠状体２４は上枠２３に固定される。
【００３８】
本実施形態によれば、レンズL1〜L3の光学誤差による結像面の傾き、アクチュエータ３０の誤差要因、基板５２（イメージセンサ５１）に対するチルト等、合成された複雑なチルト要因全てをキャンセルすることができる。又、イメージセンサ５１やアクチュエータドライバＡＤを基板５２に実装した状態で、撮像レンズＯＵのチルト調整を行うので、実際の製品と同様な状態での調整を行うことが出来、調整を阻害する不確定要素を極力排除できる。
【００３９】
図７は、変形例にかかる撮像装置５０’の光学ブロックＯＢを示す断面図である。本変形例においては、枠状体２４’の本体２４ａ’の下端に、光軸直交方向外方に突出したフランジ部（又は爪部）２４ｃ’が形成されている。一方、上枠２３’の上端近傍の内周には、周方向に延在する周溝２３ｅ’が形成されている。ここで、フランジ部２４ｃ’の外寸をＥ、周溝２３ｅ’の縁部２３ｆ’の内寸をＦとすると、Ｅ＞Ｆの関係が成立する。尚、フランジ部２４ｃ’には面取りを設けると好ましい。
【００４０】
枠状体２４’を上枠２３’に組み付ける際に、上枠２３’に対して枠状体２４’を軸線方向に押し込むと、枠状体２４’のフランジ部２４ｃ’が周溝２３ｅ’の縁部２３ｆ’に当接して、本体２４ａ’の先端が内側に曲がるように弾性変形し、縁部２３ｆ’を乗り越えた後に弾性変形が復帰する。これにより、枠状体２４’は上枠２３’から脱落することが禁止される。但し、枠状体２４’と上枠２３’とは、上述した実施形態と同様に、クリアランスＣＬの範囲で光軸直交方向に移動可能である。フランジ部２４ｃ’と周溝２３ｅ’とが脱落禁止手段を構成する。尚、脱落禁止手段としては、以上に限られない。例えば、粘性の高い樹脂等を枠状体と上枠に付着させたり、或いは枠状体に鉄片などを取り付けることで、アクチュエータの磁石により吸引させることでも、枠状体の脱落を抑制できる。
【００４１】
次に、上述した撮像装置５０の使用態様について説明する。図８は、撮像装置５０をデジタル機器である携帯端末としての携帯電話機１００に装備した状態を示す正面図（ａ）及び背面図（ｂ）である。また、図９は携帯電話機１００の制御ブロック図である。
【００４２】
撮像装置５０は、例えば、図８（ｂ）のように撮像レンズＯＵの物体側端面が携帯電話機１００の背面（図８（ａ）の液晶表示部側を正面とする）に設けられ、液晶表示部の下方に相当する位置になるよう配設される。
【００４３】
撮像装置５０の外部接続用端子（不図示）は、携帯電話機１００の制御部１０１と接続され、輝度信号や色差信号等の画像信号を制御部１０１側に出力する。
【００４４】
一方、携帯電話機１００は、図９に示すように、各部を統括的に制御すると共に、各処理に応じたプログラムを実行する制御部（ＣＰＵ）１０１と、番号等をキーにより支持入力するための入力部６０と、撮像した画像や映像等を表示する表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像装置５０による撮像データ等を一時的に格納する作業領域として用いられる一時記憶部（ＲＡＭ）９２とを備えている。
【００４５】
携帯電話機１００を把持する撮影者が、被写体に対して撮像装置５０の撮像レンズＯＵを向けると、イメージセンサ５１に静止画又は動画の画像信号が取り込まれるが、このとき像面ＡＦ機能によりアクチュエータ３０が駆動されて、撮像レンズＯＵが合焦位置へと移動する。所望のシャッタチャンスで、図８（ａ）に示すボタンＢＴを撮影者が押すことでレリーズが行われ、画像信号が撮像装置５０に取り込まれることとなる。撮像装置５０から入力された画像信号は、上記携帯電話機１００の制御系に送信され、記憶部９２に記憶されたり、或いは表示部７０で表示され、さらには、無線通信部８０を介して映像情報として外部に送信されることとなる。
【００４６】
本発明は、本明細書に記載の実施形態や使用態様に限定されるものではなく、他の実施形態や変形例を含むことは、本明細書に記載された実施形態や思想から本分野の当業者にとって明らかである。
【産業上の利用可能性】
【００４７】
本発明の撮像装置の調整方法及び撮像装置によれば、例えば、撮像装置を装備した携帯電話機やＰＤＡ等の携帯端末において高画質な画像を得ることができる。
【符号の説明】
【００４８】
２１ ホルダ
２１ａ フランジ部
２１ｂ 雄ねじ部
２２ 内筒
２２ａ 雌ねじ部
２２ｂ フランジ部
２３ 上枠
２３ａ 内周段部
２３ｂ フランジ部
２３ｃ 上枠基準面
２４ 枠状体
２４ａ 筒部
２４ｂ フランジ部
２４ｃ 外周段部
２４ｄ 面取り部
２５ 第１のバネ
２５ａ 外側環状部
２５ｂ 内側環状部
２５ｃ バネ部
２６ 第２のバネ
２７ 下枠
２７ａ 下枠基準面
２７ｂ 段部
２７ｃ 脚部
３０ アクチュエータ
３１ コイル
３２ 磁石
３３ ヨーク
５０ 撮像装置
５１ イメージセンサ
５１ａ 光電変換部、受光面
５２ 基板
６０ 入力部
７０ 表示部
８０ 無線通信部
９２ 記憶部
１００ 携帯電話機
１０１ 制御部
ＢＴ ボタン
ＣＬ クリアランス
Ｌ１ レンズ
Ｌ２ レンズ
Ｌ３ レンズ
ＯＵ 撮像レンズ
Ｘ１ 撮像レンズの光軸
Ｘ２ イメージセンサの直交線
【図１】
2012005141.tif 000003
【図２】
2012005141.tif 000004
【図３】
2012005141.tif 000005
【図４】
2012005141.tif 000006
【図５】
2012005141.tif 000007
【図６】
2012005141.tif 000008
【図７】
2012005141.tif 000009
【図８】
2012005141.tif 000010
【図９】
2012005141.tif 000011
【国際調査報告】
2012005141.tif 000012
2012005141.tif 000013
2012005141.tif 000014
2012005141.tif 000015